(57)【要約】【課題】地上波デジタル放送のデータ放送において、標準（ＳＤ）の低解像度のコンテンツを受信機でのハイビジョン（ＨＤ）画質で表示する際に、コンテンツ中の文字の画質劣化を防いで、視聴者が読みやすい表示を行なう。【解決手段】ビデオエンコーダ部８には、受信したコンテンツのイメージデータをスケーリングするスケーラが含まれている。スケーラブルフォント生成部１４は、受信信号に含まれる文字コードで指定された文字またはキャラクターについて、表示のために要求される解像度に合わせたスケーラブルフォントを生成する。文字用ＯＳＤ表示部１１は、放送信号から分離した文字コードと、生成したスケーラブルフォントとを使用して、上記解像度に応じた文字またはキャラクターを描画して、スケーリングされたイメージデータと合成する。これにより、表示の解像度に合った品位で文字またはキャラクターの表示を行うことができる。【選択図】図１
2006279126.tif 000002
【特許請求の範囲】
【請求項１】
デジタル放送信号によるコンテンツを受信する受信手段と、該受信手段で受信したコンテンツのイメージデータを、表示のために要求される解像度に合わせてスケーリングするスケーラとを有し、該スケーラでスケーリングされたイメージデータを前記ディスプレイに対して出力することにより、該イメージデータを前記ディスプレイで表示するようにしたデジタルテレビジョン受信機において、該デジタルテレビジョン受信機は、前記デジタル放送信号に含まれる文字コードで指定された文字またはキャラクターについて、該文字コードを前記デジタル放送信号から分離し、前記要求される解像度に合わせたスケーラブルフォントを生成し、該分離した文字コードと、前記生成したスケーラブルフォントとを使用して、前記ディスプレイに応じて要求される解像度に応じた文字またはキャラクターを描画して、前記スケーラでスケーリングされたイメージデータと合成することにより、前記要求される解像度に合った品位で前記文字またはキャラクターの表示を行うことを特徴とするデジタルテレビジョン受信機。
【請求項２】
請求項１記載のデジタルテレビジョン受信機において、前記スケーラは、前記デジタル放送信号のうち、前記文字コードで指定された文字またはキャラクター以外のコンテンツのイメージデータをスケーリングし、該スケーリングしたイメージデータの同一プレーン上に、前記文字またはキャラクターを描画して合成することを特徴とするデジタルテレビジョン受信機。
【請求項３】
請求項１記載のデジタルテレビジョン受信機において、前記スケーラは、前記デジタル放送信号のうち、前記文字コードで指定された文字またはキャラクター以外のコンテンツのイメージデータを図形専用プレーン上に描画し、前記文字コードで指定された文字またはキャラクター以外のコンテンツのイメージデータを背景が透明な文字専用プレーン上でスケーリングし、前記図形専用プレーンと前記文字専用プレーンとを重ね合わせて合成することを特徴とするデジタルテレビジョン受信機。
【請求項４】
請求項１ないし３のいずれか１に記載のデジタルテレビジョン受信機において、ディスプレイの表示画面に複数領域によって複数のデータ放送を表示する場合、表示領域の解像度を前記要求される解像度として処理を行うことを特徴とするデジタルテレビジョン受信機。
【請求項５】
請求項１ないし４のいずれか１に記載のデジタルテレビジョン受信機において、該テレビジョン受信機は、ディスプレイを有し、該ディスプレイで要求される解像度に合った品位で前記文字またはキャラクターの表示を行うことを特徴とするデジタルテレビジョン受信機。
【請求項６】
請求項１ないし４のいずれか１に記載のデジタルテレビジョン受信機と、該デジタルテレビジョン受信機から出力されるイメージデータを表示するディスプレイとを有し、該ディスプレイは、入力するイメージデータを該ディスプレイの表示解像度に変換するスケーラを有し、前記デジタルテレビジョン受信機から出力された前記文字またはキャラクターのイメージ信号を、該ディスプレイが有するスケーラによってスケーリングされたイメージデータに合成することにより、前記ディスプレイの解像度に合った最適な品位で文字またはキャラクターの表示を行うことを特徴とするデジタルテレビジョン受信システム。
【発明の詳細な説明】
【技術分野】
【０００１】
本発明は、デジタルテレビジョン受信機及びデジタルテレビジョン受信システムに関し、より詳細には、ＢＳ，ＣＳ，地上波デジタル放送のデータ放送において、標準（ＳＤ）の低解像度のコンテンツを受信機で１０ハイビジョン（ＨＤ）画質で表示する際に、視聴者に読みやすいコンテンツ表示を行なうようにしたデジタルテレビジョン受信機と、そのデジタルテレビジョン受信機を用いたデジタルテレビジョン受信システムに関する。
【背景技術】
【０００２】
ＢＳ，ＣＳ，地上波デジタル放送のデータ放送において、標準（ＳＤ）（例えば４８０ｉ，４８０ｐ）の低解像度のコンテンツを、受信機でハイビジョン（ＨＤ）（例えば１０８０ｉ，７２０ｐ）の画質で表示する際には、通常、ハードウェアやソフトウェアで表示プレーンを単純に拡大して表示している。
【０００３】
例えば特許文献１には、テレビモニタにＥＰＧ等を表示させる際に、モニタの表示能力（解像度）に応じてＥＰＧ等の文字フォントを変更するようにした表示制御装置が開示されている。ここでは、例えば、テレビチューナは、モニタの解像度が縦ライン４８０である場合は、表示項目を「番組名のみ」として小さいフォントを選択し、縦ライン数７２０である場合は、表示項目を「番組名」及び「番組内容説明」として小さいフォントを選択し、縦ライン数１０８０である場合は、表項目を「番組名」及び「番組内容説明」として大きいフォントを選択する。そしてこれによりモニタの表示可能な領域を有効に使用して見やすい表示を行うようにしている。
【特許文献１】特開２００２−２４７４７４号公報
【発明の開示】
【発明が解決しようとする課題】
【０００４】
例えば、上記のようにＢＳ，ＣＳ，地上波デジタル放送のデータ放送において、ＳＤの低解像度のコンテンツを受信機でＨＤ画質で表示する際に、もともと低解像度なＳＤコンテンツをＨＤ画質に拡大するため、特に文字については、少ないドット数のイメージを単純なビット追加によって拡大してしまい、ガタツキの多いイメージになってしまう場合がある。またハードウェアスケーリング等のフィルターを使って拡大する場合には、文字が滲んでしまい、読みやすい文字にはならないという問題が生じていた。
【０００５】
図７は、ＳＤコンテンツをＨＤ画質で表示する際の従来の処理例について説明するための図で、ＳＤコンテンツの画像例を図７（Ａ）に、そのＳＤコンテンツを拡大したＨＤコンテンツの画像例を図７（Ｂ）に示すものである。
上述したように、従来は、図７（Ａ）に示すようなＳＤコンテンツをＨＤ画質で出力する際、出力フォーマット（ディスプレイの解像度や、最終出力解像度）に合わせて、ソフトウェアやハードウェアを使用してＳＤコンテンツを単純に拡大して、図７（Ｂ）に示すようなＨＤ画質のコンテンツを得ていた。従って、結果として、拡大した後の文字ががたついたり、滲んだりして、画質が劣化するという問題があった。
【０００６】
本発明は、上述のごとき実情に鑑みてなされたもので、ＢＳ，ＣＳ，地上波デジタル放送のデータ放送において、４８０ｉ，４８０ｐ等の標準（ＳＤ）の低解像度のコンテンツを、受信機で１０８０ｉ，７２０ｐ等のハイビジョン（ＨＤ）画質で表示する際に、コンテンツ中の文字の画質劣化を防いで、視聴者が読みやすい表示を行なうデジタルテレビジョン受信機、及びそのデジタルテレビジョン受信機と外部ディスプレイよりなるデジタルテレビジョン受信システムを提供することを目的とする。
【課題を解決するための手段】
【０００７】
上記課題を解決するために、第１の技術手段は、デジタル放送信号によるコンテンツを受信する受信手段と、受信手段で受信したコンテンツのイメージデータを、表示のために要求される解像度に合わせてスケーリングするスケーラとを有し、スケーラでスケーリングされたイメージデータをディスプレイに対して出力することにより、イメージデータをディスプレイで表示するようにしたデジタルテレビジョン受信機において、デジタルテレビジョン受信機は、デジタル放送信号に含まれる文字コードで指定された文字またはキャラクターについて、文字コードをデジタル放送信号から分離し、要求される解像度に合わせたスケーラブルフォントを生成し、分離した文字コードと、生成したスケーラブルフォントとを使用して、ディスプレイに応じて要求される解像度に応じた文字またはキャラクターを描画して、その描画した文字またはキャラクターをスケーラでスケーリングされたイメージデータと合成することにより、要求される解像度に合った品位で文字またはキャラクターの表示を行うことを特徴としたものである。
【０００８】
第２の技術手段は、第１の技術手段において、上記スケーラが、デジタル放送信号のうち、文字コードで指定された文字またはキャラクター以外のコンテンツのイメージデータをスケーリングし、スケーリングしたイメージデータの同一プレーン上に、文字またはキャラクターを描画して合成することを特徴としたものである。
【０００９】
第３の技術手段は、第１の技術手段において、上記スケーラが、デジタル放送信号のうち、文字コードで指定された文字またはキャラクター以外のコンテンツのイメージデータを図形専用プレーン上に描画し、文字コードで指定された文字またはキャラクター以外のコンテンツのイメージデータを背景が透明な文字専用プレーン上でスケーリングし、図形専用プレーンと文字専用プレーンとを重ね合わせて合成することを特徴としたものである。
【００１０】
第４の技術手段は、第１ないし第３のいずれか１の技術手段において、ディスプレイの表示画面に複数領域によって複数のデータ放送を表示する場合、表示領域の解像度を要求される解像度として処理を行うことを特徴としたものである。
【００１１】
第５の技術手段は、第１ないし第４のいずれか１の技術手段において、テレビジョン受信機が、ディスプレイを有し、ディスプレイで要求される解像度に合った品位で文字またはキャラクターの表示を行うことを特徴としたものである。
【００１２】
第６の技術手段は、第１ないし第４のいずれか１の技術手段におけるデジタルテレビジョン受信機と、テレビジョン受信機から出力されるイメージデータを表示するディスプレイとを有し、ディスプレイは、入力するイメージデータを該ディスプレイの表示解像度に変換するスケーラを有し、デジタルテレビジョン受信機から出力された文字またはキャラクターのイメージ信号を、ディスプレイが有するスケーラによってスケーリングされたイメージデータに合成することにより、ディスプレイの解像度に合った最適な品位で文字またはキャラクターの表示を行うことを特徴とするデジタルテレビジョン受信システムである。
【発明の効果】
【００１３】
本発明によれば、４８０ｉ，４８０ｐ等の標準（ＳＤ）の低解像度のコンテンツを、受信機で１０８０ｉ，７２０ｐ等のハイビジョン（ＨＤ）画質で表示する際に、文字やキャラクターのイメージを、精細なドット数で最終出力段の高い解像度（例えば１９２０×１０８０）に合わせて表示することができるので、視聴者にとっては常に高解像度で品位の高い文字やキャラクターを見ることができ、文字の視認性等も良好なものにすることができる。
また逆にＨＤのコンテンツをＳＤのサイズに縮小する場合も、専用のサイズ（この場合小さくなる）の文字やキャラクターを生成することができるので、バランスの取れた表示が可能になる。
【発明を実施するための最良の形態】
【００１４】
通常データ放送は、背景の静止画、手前の図形、及び文字やキャラクターが、各々個別に送信されており、文字やキャラクターについては、イメージではなく例えばＸＭＬ言語で記載された文字コードで送信されているのが一般的である。
本実施形態では、受信機側において、送信された文字コードに応じた文字またはキャラクターイメージを生成して表示する。これにより、要求される解像度、例えば１９２０×１０８０等の最終的なディスプレイの解像度に合った文字やキャラクターイメージを独自に、受信機内で生成することが可能となる。
ここでは、ＳＤからＨＤに拡大した後のプレーン中のイメージ（この場合、静止画と図形）に、高いドット数の文字またはキャラクターを貼り付けるようにしたり、もしくは文字またはキャラクター専用の高解像度の（背景透明の）プレーンを設けて、静止画及び図形の上にそのプレーンを重ねることで文字やキャラクターを表示することができる。
【００１５】
本発明によるデジタル放送受信機の一実施形態として、ＢＳ，ＣＳ，地上波デジタル放送を受信可能なデジタルテレビジョン受信機を例に、以下、図面とともに説明する。
図１は、本発明の一実施形態に係るデジタルテレビジョン受信機の構成図である。
本実施形態のデジタルテレビジョン受信機１００は、ＢＳ／ＣＳ系アンテナ１ａ及びＢＳ／ＣＳ系のフロントエンド部１１０ａと、地上波デジタル系アンテナ１ｂ及び地上波デジタル系のフロントエンド部１１０ｂとを備えている。これらＢＳ／ＣＳ系フロントエンド部１１０ａと、地上波デジタル系フロントエンド部１１０ｂとによって、フロントエンド部１１０が構成される。
【００１６】
ＢＳ／ＣＳ系フロントエンド部１１０ａは、チューナ部２ａ，復調回路部３ａ，誤り訂正部４ａを有し、また地上波デジタル系フロントエンド部１１０ｂも、チューナ部２ｂ，復調回路部３ｂ，誤り訂正部４ｂを有している。
【００１７】
デジタルテレビジョン受信機１００は、さらにトランスポートデコーダ部５を備えたトランスポート部１２０と、ＭＰＥＧ（Moving Picture Experts Group）デコーダ部６，ＯＳＤ（On Screen Display）表示部７，ビデオエンコーダ部８，及び音声ＤＡＣ（Digital to Analog Converter）部９を備えたＭＰＥＧデコード部１３０と、重畳部１０及び文字用ＯＳＤ表示部１１を備えた文字用ＯＳＤ部１４０と、映像出力を行うディスプレイ１２と、ＣＰＵ１３と、任意の文字サイズのフォントを生成可能なスケーラブルフォント生成部１４と、フラッシュメモリによるＲＯＭ（Read Only Memory）１５と、ＲＡＭ（Random Access Memory）１６と、不揮発性補助記憶装置１７と、赤外線通信等を行うための入出力Ｉ／Ｆ（Interface）１８と、リモコン装置や操作パネルからの操作入力を受け付けるための入力Ｉ／Ｆ１９と、ローカル通信を行うためのＬＡＮポート（Port）２０と、インターネット網２２に接続するためのモデムポ−ト（Modem）２１とを備えて構成されている。
【００１８】
ＢＳ／ＣＳ系のフロントエンド部１１０ａが備えるＢＳ／ＣＳ系チューナ部２ａには、ＢＳ／ＣＳ系アンテナ１ａによって受信された放送衛星（ＢＳ）や通信衛星（ＣＳ）から送信されるデジタル衛星放送信号が入力される。ＢＳ／ＣＳ系チューナ部２ａは、ユーザの選局指示に従って、所定のデジタル放送ネットワークの放送チャンネルに関するデジタル衛星放送信号を選局受信し、ＢＳ／ＣＳ系復調回路部３ａに供給する。ＢＳ／ＣＳ系復調回路部３ａは、ＢＳ／ＣＳ系チューナ部２ａで選局受信したデジタル衛星放送信号をデジタル復調する。ＢＳ／ＣＳ系誤り訂正部４ａは、デジタル復調されたデジタル衛星放送信号の誤りに関する修復や訂正を施し、トランスポートストリームデータとして再生する。
【００１９】
一方、地上波デジタル系フロントエンド部１１０ｂが備える地上波デジタル系チューナ部２ｂには、地上波デジタル系アンテナ１ｂによって受信された地上波デジタル放送信号が入力される。地上波デジタル系チューナ部２ｂは、後述するユーザの選局指示に従って、所定の放送チャンネルに関する地上波デジタル放送信号を選局受信し、地上波デジタル系復調回路部３ｂに供給する。地上波デジタル系復調回路部３ｂは、地上波デジタル系チューナ部２ｂで選局受信した地上波デジタル放送信号をデジタル復調する。地上波デジタル系誤り訂正部４ｂは、デジタル復調された地上波デジタル放送信号の誤りに関する修復や訂正を施し、トランスポートストリームデータとして再生する。
【００２０】
トランスポート部１２０が備えるトランスポートデコーダ部５は、ＭＰＥＧ符号化されたデジタル衛星放送信号及び地上波デジタル放送信号のトランスポートストリームデータから、放送映像信号，放送音声信号と、データ信号とを分離する。トランスポートデコーダ部５には、視聴者が選択受信したデジタル放送信号のデジタル放送ネットワークに応じて、ＢＳ／ＣＳ系のフロントエンド部１１０ａまたは地上波デジタル系のフロントエンド部１１０ｂの中の対応する側から、誤り訂正されたデジタル放送信号のトランスポートストリームデータが供給される。
【００２１】
そして、トランスポート部１２０で分離されたＭＰＥＧ符号化されている放送映像信号及び放送音声信号は、ＭＰＥＧデコーダ部６に供給される。また、トランスポートデコーダ部５で分離されたデータ信号は、ＣＰＵ１３に供給され、ＲＯＭ１５に保持されたシステムソフトウェア基づいて処理される。
【００２２】
ＭＰＥＧデコーダ部６は、トランスポートデコーダ部５によって分離されたＭＰＥＧ符号化されている放送映像信号及び放送音声信号それぞれのデータ復調（復号）を行い、ビデオエンコーダ部８及び音声ＤＡＣ部９に供給する。
【００２３】
ＯＳＤ表示部７は、受信した放送チャンネルのデジタル衛星放送信号や地上波デジタル放送信号のトランスポートストリームデータに含まれるデータ信号のうち、文字コードで指定されている文字及びキャラクター以外のＯＳＤ用情報について、テレビジョン受像機の画面上に表示するためのＯＳＤ信号を生成し、ビデオエンコーダ部８に供給する。
【００２４】
ビデオエンコーダ部８は、ＭＰＥＧデコーダ部６でデータ復調された放送映像信号とＯＳＤ表示部７から供給されるＯＳＤ信号とを重畳して、文字用ＯＳＤ部１４０に出力する。また、ビデオエンコーダ部８では、ディスプレイ１２の解像度（もしくは最終出力解像度）と映像信号のフォーマットとの関係から、必要に応じて水平方向／垂直方向のスケーリングを行うスケーラが含まれている。スケーラでは、映像走査線数をディスプレイ解像度（もしくは最終出力解像度）に合わせるために、上下に隣接する水平走査線信号を所定比率で加算／平均化等の演算を行って新たな水平走査信号を作り出す演算処理を伴う垂直スケーリングや、水平方向の映像信号の拡大または縮小を行う水平スケーリングが行われる。またここでは、ディスプレイ１２の解像度（もしくは最終出力解像度）と映像信号のフォーマットとの関係から、オーバースキャン、Ｉ／Ｐ変換等の処理が適宜行われる。またビデオエンコーダ部８には、これらのスケーリング処理を行うために映像信号を保持しておくための図示しないフレームメモリやラインメモリなどが備えられる。
【００２５】
音声ＤＡＣ部９は、ＭＰＥＧデコーダ部６でデータ復調された放送音声信号を、音声出力として接続されるオーディオ装置に適した音声信号に生成して出力する。
【００２６】
スケーラブルフォント生成部１４は、受信した放送チャンネルのデジタル衛星放送信号や地上波デジタル放送信号のトランスポートストリームデータに含まれるデータ信号のうち、文字コードで指定されている文字及びキャラクターについて、ディスプレイ１２の解像度（もしくは最終出力解像度）に応じて最適な文字サイズを生成させるスケーラブルフォントを生成する。スケーラブルフォントは、例えば、文字外周の軌跡をベクトルで表したものであり、任意の文字ポイント数で文字を表示することができるようにしたものである。
【００２７】
文字用ＯＳＤ部１４０の文字用ＯＳＤ表示部１１は、ＣＰＵ１３の制御に従って、スケーラブルフォント生成部１４において生成されたスケーラブルフォントと、トランスポートデコーダ部５で分離されたデータ信号に含まれる文字コードとから、ディスプレイ１２の解像度（もしくは最終出力解像度（例えば１９２０×１０８０））と同等の解像度で、文字またはキャラクターのイメージ信号を生成する。このイメージ信号は、例えば、ＲＯＭ１５に予め格納されたフォントラスタライザープログラムに従って、スケーラブルフォントによって指定された文字ポイント数に基づいて文字またやキャラクターをビットマップデータに展開したものである。
上記文字用ＯＳＤ表示部１１で生成されたイメージ信号は、重畳部１０にて映像信号に重畳され、ディスプレイ１２に出力される。
【００２８】
ＣＰＵ１３は、デジタルテレビジョン受信機１００のフロントエンド部１１０，トランスポート部１２０，ＭＰＥＧデコード部１３０，及び文字用ＯＳＤ部１４０のそれぞれに接続されるとともに、ＲＯＭ１５，ＲＡＭ１６，不揮発性補助記憶装置１７，入出力Ｉ／Ｆ１８，入力Ｉ／Ｆ１９，ＬＡＮポート２０のそれぞれに接続されている。
【００２９】
ＣＰＵ１３は、通常、ユーザのリモコン操作に基づきリモコンから入力Ｉ／Ｆ１９を介して供給されるコントロール信号に基づき、ＲＯＭ１５に記憶されたシステムソフトウェアによってその処理を管理・制御され、デジタルテレビジョン受信機１００の上述した各部の制御を行う。例えば、ＣＰＵ１３は、受信した放送チャンネルのデジタル衛星放送信号や地上波デジタル放送信号のトランスポートストリームデータにデータ信号として含まれている番組配列情報（ＳＩ：Service Information）のＰＡＴやＰＭＴ等の情報をトランスポートデコーダ部５から取得してＲＡＭ１６内に貯え、これら情報を用いて電子番組表を生成する。
【００３０】
またＣＰＵ１３は、受信した放送チャンネルのデジタル衛星放送信号や地上波デジタル放送信号のトランスポートストリームデータにデータ信号として含まれているデータ放送用コンテンツのＸＭＬ言語等の情報をトランスポートデコーダ部５から取得してＲＡＭ１６内に貯える。
そして、上記データ信号のうち、文字コードで指定されている文字及びキャラクターについては、文字用ＯＳＤ部１４０でディスプレイ１２の解像度（もしくは最終出力解像度）に応じた最適な文字サイズの文字またはキャラクターを表示させる。ここでは、ＣＰＵ１３は、ＲＯＭ１５に記憶させたフォントラスタライザープログラムによってスケーラブルフォント生成部１４を制御して、ディスプレイ１２に解像度（もしくは最終出力解像度）に応じたスケーラブルフォントを生成させ、そのスケーラブルフォントにより文字用ＯＳＤ表示部１１で文字またはキャラクターを描画させて、そのイメージ信号を重畳部１０に出力させる。
【００３１】
またＣＰＵ１３は、上記文字コードで指定された文字やキャラクター以外のＯＳＤ表示情報については、ＭＰＥＧデコード部１３０のＯＳＤ表示部７にてＯＳＤ信号を生成させる。
【００３２】
また、ＣＰＵ１３は、ＬＡＮポート２０を介し、インターネット網２２に接続されたモデムポート２１を介して、ＢＳ，ＣＳ，または地上波デジタル放送の放送局との間で各種データの送・受信を行う。さらに、ユーザのリモコン操作に基づき、ＢＳ／ＣＳ系チューナ部２ａまたは地上波デジタル系チューナ部２ｂを制御して、ＢＳ，ＣＳ，または地上波デジタル放送における所定の放送チャンネルを選局させたり、メニュー画面や電子番組表をＯＳＤ表示部７及びビデオエンコーダ部８を介して接続されたテレビジョン受像機の画面上に映像出力したりする。
【００３３】
上記の構成により、本実施形態のテレビジョン受信機は、受信したコンテンツの表示イメージをスケーリングして表示する際に、スケーリングによって文字やキャラクターの画質が劣化しないように、文字やキャラクターについてはディスプレイ１２の解像度（もしくは最終出力解像度）に合わせてスケーラブルフォントを用いてイメージを生成し、映像信号にスケーリング処理を施した後にその文字やキャラクターのイメージ信号を映像信号に重畳する。これによって、ディスプレイ１２では、そのディスプレイの解像度（もしくは最終出力解像度）に合った最適な品位での文字表示が可能となる。
【００３４】
図２は、本発明の他の実施形態に係るデジタルテレビジョン受信機の構成図である。図２に示す実施形態のデジタルテレビジョン受信機１００は、文字用ＯＳＤ表示部１１で生成した文字やキャラクターのイメージ信号を、重畳部１０に入力させることなく、外部ディスプレイ１２´に出力する。また他の要素の機能については、図１のデジタルテレビジョン受信機と同様であるので、繰り返しの説明は省略する。
【００３５】
この場合、外部ディスプレイ１２´には、入力映像を表示解像度の映像信号に変換するスケーラが含まれている。そして、外部ディスプレイ１２´は、さらにデジタルテレビジョン受信機１００の文字用ＯＳＤ表示部１１から出力された文字やキャラクターのイメージ信号を、スケーリング後の映像信号にＯＳＤとして重畳する重畳部を備えている。
また、デジタルテレビジョン受信機１００のビデオエンコーダ部８には、ＭＰＥＧデコーダ部６から出力された映像信号と、ＯＳＤ表示部７で生成された文字やキャラクター以外のＯＳＤ信号とが入力され、これらを最終出力解像度に変換するスケーラとが含まれている。
【００３６】
上記のような構成によって、文字用ＯＳＤ表示部１１から外部ディスプレイ１２´に対して文字やキャラクターのイメージ信号を出力させることにより、外部ディスプレイ１２´では、そのディスプレイの解像度（もしくは最終出力解像度）に合った最適な品位での文字表示が可能となる。
【００３７】
また上記のデジタルテレビジョン受信機１００と、外部ディスプレイ１２´とによって、本発明のデジタルテレビジョン受信システムの一実施形態が構成される。
【００３８】
次に上記の実施形態のデジタルテレビジョン受信機において、文字コードで指定された文字またはキャラクターと、それ以外のコンテンツ（例えば図形）との合成処理例について以下に説明する。
図３は、本発明のデジタルテレビジョン受信機によって、ＳＤコンテンツをＨＤ画質で表示する際の処理例について説明するための図で、ＳＤコンテンツの画像例を図３（Ａ）に、そのＳＤコンテンツを拡大したＨＤコンテンツの画像例を図３（Ｂ）に示すものである。
ＳＤコンテンツをＨＤ画質で表示する場合、テレビジョン受信機１００のビデオエンコーダ部８では、図３（Ａ）に示す静止画及び手前の図形の部分（すなわち、文字コードで指定された文字またはキャラクター以外のコンテンツ）だけをプレーン上でスケーリングして出力する。そして、文字用ＯＳＤ部１４０の重畳部１０において、文字用ＯＳＤ表示部１１で生成された文字またはキャラクターを、上記スケーリングされたコンテンツと同一プレーン上に描画する。
【００３９】
文字用ＯＳＤ部１４０で得られた映像信号は、図３（Ｂ）に示すようなイメージでディスプレイ１２に表示される。ここでは、文字用ＯＳＤ表示部１１で生成される文字またはキャラクターのイメージ信号は、ディスプレイ１２の解像度（または最終出力解像度）に合わせたスケーラブルフォントにより生成されているため、ディスプレイ１２に表示される文字またはキャラクターは、スケーリングの影響を受けることなく、高品質の画像として表示される。
【００４０】
図４は、上記図３の処理の流れを説明するためのフローチャートである。
デジタルテレビジョン受信機でデータ放送信号を受信すると（ステップＳ１）、受信したデータ放送信号のコンテンツのＸＭＬ解析を行う（ステップＳ２）。そして、受信したデータ放送信号から、静止画イメージと図形イメージと文字コードとを分離する（ステップＳ３）。
【００４１】
静止画イメージ及び図形イメージについては、要求される解像度（ディスプレイの解像度または最終出力解像度）に合わせてこれらイメージを拡大する（ステップＳ４，Ｓ５）。また文字コードについては、フォントラスタライザープログラムを取得し（ステップＳ６）、スケーラブルフォントと文字コードとから、上記出力解像度に合わせた最適なビットマップイメージを生成する（ステップＳ７）。
【００４２】
そして上記拡大された静止画イメージ及び図形イメージと、文字コードから生成されたビットマップイメージとが、１プレーン上で合成され（ステップＳ８）、これにより最終出力解像度上のイメージが完成する。
【００４３】
図５は、本発明のデジタルテレビジョン受信機によって、ＳＤコンテンツをＨＤ画質で表示する際の他の処理例について説明するための図で、ＳＤコンテンツの画像例を図５（Ａ）に、文字コードで指定された文字またはキャラクター以外のコンテンツを描画する文字専用プレーンを図５（Ｂ）に、ＳＤコンテンツの図形をスケーリングした図形専用プレーンと上記文字専用プレーンとを重ね合わせたＨＤコンテンツの画像例を図５（Ｃ）に示すものである。
図３の例と同様に、ＳＤコンテンツをＨＤ画質で表示する場合、テレビジョン受信機１００のビデオエンコーダ部８では、図５（Ａ）に示す静止画及び手前の図形の部分（すなわち、文字コードで指定された文字またはキャラクター以外のコンテンツ）だけを図形専用プレーン上でスケーリングして出力する。
そして、文字用ＯＳＤ表示部１１で生成された文字またはキャラクターは、文字専用のプレーン上に描画される（図５（Ｂ））。そして重畳部１０において、上記図形専用プレーンと文字専用プレーンとを重ね合わせて出力する。
【００４４】
文字用ＯＳＤ部１４０で得られた映像信号は、図５（Ｃ）に示すようなイメージでディスプレイ１２に表示される。ここでは、文字用ＯＳＤ表示部１１で生成される文字またはキャラクターのイメージ信号は、要求される解像度、例えばディスプレイ１２の解像度または最終出力解像度に合わせたスケーラブルフォントにより生成されているため、ディスプレイ１２に表示される文字またはキャラクターは、スケーリングの影響を受けることなく、高品質の画像として表示される。
【００４５】
図６は、上記図の処理の流れを説明するためのフローチャートである。
デジタルテレビジョン受信機でデータ放送信号を受信すると（ステップＳ１１）、受信したデータ放送信号のコンテンツのＸＭＬ解析を行う（ステップＳ１２）。そして、受信したデータ放送信号から、静止画イメージと図形イメージと文字コードとを分離する（ステップＳ１３）。
【００４６】
静止画イメージ及び図形イメージについては、出力解像度（ディスプレイの解像度または最終出力解像度）に合わせてこれらイメージを拡大する（ステップＳ１４，Ｓ１５）。そしてこれらの拡大した静止画イメージ及び図形イメージを１プレーン上で合成する（ステップＳ１６）。これにより、静止画イメージ及び図形イメージに関しては、最終出力画像上のイメージが完成する（ステップＳ１７）。またこの後、必要によりディスプレイサイズにスケーリングを行う場合もある（ステップＳ１８）（例えば、図２に示す外部ディスプレイ１２´によるスケーリング）。
【００４７】
一方、分離された文字コードについては、フォントラスタライザープログラムを取得し（ステップＳ１９）、スケーラブルフォントと文字コードとから、上記出力解像度に合わせた最適サイズのビットマップイメージを生成する（ステップＳ２０）。そして、文字専用プレーン上にディスプレイの解像度に合わせて文字（またはキャラクター）イメージを描画する（ステップＳ２１）。
【００４８】
そして上記１プレーン上で合成された静止画イメージ及び図形イメージと、文字専用プレーン上に描画された文字またはキャラクターイメージとが合成され（ステップＳ２２）、これにより最終出力解像度上のイメージが完成する。
【００４９】
また、上記のごとくの構成を有するテレビジョン受信機において、ディスプレイ中に複数のデータ放送を表示（一般的には２画面表示など）する場合、表示領域の解像度に合わせて、上記図３または図４に示す処理を適用することにより、ディスプレイに実表示される表示領域内の解像度に合った最適な品位での文字表示を可能にすることができる。
【図面の簡単な説明】
【００５０】
【図１】本発明の一実施形態に係るデジタルテレビジョン受信機の構成図である。
【図２】本発明の他の実施形態に係るデジタルテレビジョン受信機の構成図である。
【図３】本発明のデジタルテレビジョン受信機によって、ＳＤコンテンツをＨＤ画質で表示する際の処理例について説明するための図である。
【図４】図３の処理の流れを説明するためのフローチャートである。
【図５】本発明のデジタルテレビジョン受信機によって、ＳＤコンテンツをＨＤ画質で表示する際の他の処理例について説明するための図である。
【図６】図５の処理の流れを説明するためのフローチャートである。
【図７】ＳＤコンテンツをＨＤ画質で表示する際の従来の処理例について説明するための図である。
【符号の説明】
【００５１】
２ａ…チューナ部、２ｂ…チューナ部、３ａ…復調回路部、３ｂ…復調回路部、４ａ…誤り訂正部、４ｂ…誤り訂正部、５…トランスポートデコーダ部、６…ＭＰＥＧデコーダ部、７…ＯＳＤ表示部、８…ビデオエンコーダ部、９…音声ＤＡＣ部、１０…重畳部、１１…文字用ＯＳＤ表示部、１２…ディスプレイ、１３…ＣＰＵ、１４…スケーラブルフォント生成部、１５…ＲＯＭ、１６…ＲＡＭ、１７…不揮発性補助記憶装置、１８…入出力Ｉ／Ｆ、１９…入力Ｉ／Ｆ、２０…ＬＡＮポート、２１…モデムポート、２２…インターネット網、１００…デジタルテレビジョン受信機、１１０…フロントエンド部、１２０…トランスポート部、１３０…ＭＰＥＧデコード部、１４０…文字用ＯＳＤ部。
【図１】
2006279126.tif 000003
【図２】
2006279126.tif 000004
【図３】
2006279126.tif 000005
【図４】
2006279126.tif 000006
【図５】
2006279126.tif 000007
【図６】
2006279126.tif 000008
【図７】
2006279126.tif 000009